(57)【特許請求の範囲】
【請求項１】
開口を有する支持体と、この支持体に両端を回転可能に軸着され前記開口を閉止した閉止状態及び前記開口を開成した開成状態をとり得る蓋部とを有してなる開閉装置であって、前記支持体及び前記蓋部の何れか一方又は他方が、前記蓋部の両端間における何れかの位置において当該蓋部の動作中に互いに摺接し得る突起及び摺接部の何れか一方又は他方をそれぞれ有し、
前記突起が、前記閉止状態から蓋部を所定位置まで動作するまで前記摺接部を圧接することにより前記蓋部を両端間で撓み変形させ、当該変形の反発力により前記蓋部が前記閉止状態へ付勢させる閉止助長部を有する開閉装置であって、
前記蓋部が、長手方向両端を突出させて設けた前記支持体に軸着される回転軸と、両端付近に軸芯方向に直交する方向に切り欠かれて設けられ両端間の撓み変形を助長し得る変形助長部である切欠と、前記回転軸が軸芯方向に突没するように前記切欠の外側である前記両端を弾性変形可能に設けた弾性端とを有していることを特徴とする開閉装置。
【請求項２】
前記突起が、前記蓋部が所定位置を越えて動作させた際に前記開成状態へ付勢させる開成助長部を有している請求項１記載の開閉装置。
【請求項３】
前記蓋部が水平状態にある前記閉止状態から前記開成状態まで回転するものであり、
前記突起が、前記閉止助長部及び前記開成助長部との間に前記摺接部に最も圧接する思案点を有し、この思案点を、前記蓋部を前記閉止状態から垂直に起立させるまでの位置で前記摺接部に接するよう設定している請求項２記載の開閉装置。
【請求項４】
前記突起が、前記閉止状態で蓋部をさらに閉止方向へ付勢するよう圧接する予圧部を有している請求項１、２又は３記載の開閉装置。
【請求項５】
前記突起及び摺接部を、前記蓋部の回転軸方向における中央に位置付けている請求項１、２、３又は４記載の開閉装置。
【発明の詳細な説明】
【技術分野】
【０００１】
本発明は、開口を閉止並びに開成させ得る開閉装置に関するものである。
【背景技術】
【０００２】
従来、開口を有する支持体と、この支持体に回転可能に支持されて開口を閉止する閉止状態と開口を開成する開成状態との間で動作可能な蓋部とを有したものにおいて、蓋部及び支持体の構造を工夫することにより、この蓋部を閉止状態や開成状態、或いは動作途中にある所定位置で位置決めし得る構造が種々提案されている（例えば、特許文献１及び特許文献２参照）。
【０００３】
しかしながら、上記特許文献１に記載のものは、蓋部の軸着部分付近に蓋部を位置決めし得る構成を設けているので、当該軸着部分付近の構造が複雑なものとなっている。一方特許文献２に記載のものは、蓋部は閉止位置及び開成位置に位置決めするのみの構造となっており、当該構造によって開閉操作自体にはなんら影響を及ぼすものとはなっていない。
【先行技術文献】
【特許文献】
【０００４】
【特許文献１】特許第４４８８６１４号公報
【特許文献２】特許第３６６３２６０号公報
【発明の概要】
【発明が解決しようとする課題】
【０００５】
本発明は、このような点に着目したものであり、蓋部の開閉動作をスムーズに促し得る開閉装置を提供することを目的としている。
【課題を解決するための手段】
【０００６】
本発明は、このような目的を達成するために、次のような手段を講じたものである。すなわち本発明に係る開閉装置は、開口を有する支持体と、この支持体に両端を回転可能に軸着され前記開口を閉止した閉止状態及び前記開口を開成した開成状態をとり得る蓋部とを有してなる開閉装置であって、前記支持体及び前記蓋部が、前記蓋部の両端間における何れかの位置において当該蓋部の動作中に互いに摺接し得る突起及び摺接部をそれぞれ有し、前記突起が、前記閉止状態から蓋部を所定位置まで動作するまでの位置において前記摺接部を圧接することにより前記蓋部を両端間で撓み変形させ、当該変形の反発力により前記蓋部が前記閉止状態へ付勢させる閉止助長部を有する。
【０００７】
このようなものであれば、閉止助長部を設けることにより、蓋部を開成させようとする際は、始めに閉止助長部によって開成させようとする動作に抗した力が働くことにより、単なる振動や他のものとの当接等による偶発的な蓋部の開成を有効に禁止することができる。つまり使用者による明確な意志以外には開成し難い開閉装置とすることができる。加えて所定位置を過ぎれば前記の付勢力は解除されるので、明確な意志により蓋部を開成させる場合は付勢力が解除された際の勢いによってスムーズに蓋部を開成させることができる。
【０００８】
スムーズな蓋部の開成動作をより促すためには、突起に、蓋部が所定位置を越えて動作させた際に開成状態へ付勢させる開成助長部を設ける事が好ましい。
【０００９】
さらに、使用者にとって開成動作をより容易に感じさせ得る具体的な構成として、蓋部を水平状態にある閉止状態から開成状態まで回転するものとし、突起に、閉止助長部及び開成助長部との間に摺接部に最も圧接する思案点を設けて、この思案点を、蓋部を閉止状態から垂直に起立させるまでの位置で摺接部に接するよう設定した態様を挙げることができる。
【００１０】
そして、閉止状態にある蓋部が意図しない外力等により開成しないようにするためには、突起に、閉止状態で蓋部をさらに閉止方向へ付勢するよう圧接する予圧部を設けておくことが好ましい。
【００１１】
蓋部に、両端間の撓み変形を助長し得る助長部を設けておけば、スムーズな蓋部の動作に有効に寄与し得る。
【００１２】
そして上述した変形助長部には、蓋部を部分的に薄肉としたり、寸法を適宜設定するなど種々の態様を考え得るが、助長部の好適な一例として本発明は、前記蓋部が、長手方向両端を突出させて設けた前記支持体に軸着される回転軸と、両端付近に設けられ軸芯方向に直交する方向に切り欠かれた切欠と、前記回転軸が軸芯方向に突没するように前記切欠の外側である前記両端を弾性変形可能に設けた弾性端とを有していることを特徴とする。
【００１３】
また、蓋部自体が開閉動作の際により撓み変形し易いものとするためには、突起及び摺接部を、蓋部の回転軸方向における中央に位置付けておくことが好ましい。
【発明の効果】
【００１４】
本発明によれば、蓋部の開閉動作をスムーズに促し得る開閉装置を提供することができる。
【図面の簡単な説明】
【００１５】
【図１】本発明の一実施形態に係る斜視図。
【図２】同実施形態に係る平面図。
【図３】同上。
【図４】図２に係るＡ−Ａ線断面図。
【図５】図４に係るＺ部分を示す要部拡大図。
【図６】図２に対応した動作説明図。
【図７】図６に係るＺ部分を示す要部拡大図。
【図８】図２に対応した動作説明図。
【図９】図８に係るＺ部分を示す要部拡大図。
【図１０】図３に係るＢ−Ｂ線断面図。
【図１１】図１０に係るＺ部分を示す要部拡大図。
【発明を実施するための形態】
【００１６】
以下、本発明の一実施の形態について図面を参照して説明する。
【００１７】
本実施形態では、本発明に係る開閉装置を、シュレッダ１の構成要素の一つであるカバー体３として実施した場合の態様について説明する。
【００１８】
本実施形態のシュレッダ１は、シュレッダ１の中でも小型のもので、主に小型店舗や一般家庭、或いはＳＯＨＯ向けとして好適に用いられるものである。このシュレッダ１は、図１に示すように、本体ケース２の上面側に本発明の開閉装置であるカバー体３を取り付けた構造をなしている。本体ケース２の内部には、紙類を細断する細断刃Ｃを始め各種機構部品を内蔵するメカケースＭを上部に配置するとともに、下部には長手方向に引き出して細断刃Ｃから落下した細断屑を取り出し得る屑入れ４を設けてなる。
【００１９】
カバー体３は、図１乃至図１１に示すように、本体ケース２を略覆う支持体たるトップカバー５と、トップカバー５に設けられた開口たる投入口５３を閉止する閉止状態（Ｐ）と投入口５３を外方に露出させた開成状態（Ｑ）との間で回転動作する蓋部６とを有している。このトップカバー５は、本発明に係る蓋部６を取り付ける他に、電源スイッチＳＷ１、電源ランプＬ及び停止スイッチＳＷ２といったシュレッダ１の操作に必須の要素を取り付けている。また蓋部６は、シュレッダ１を使用しないときに閉止状態（Ｐ）としておくことで、投入口５３から不意に異物が入ってしまうことを防止する安全カバーとして機能し得るものである。
【００２０】
ここで、本実施形態に係る開閉装置たるカバー体３は、支持体たるトップカバー５及び蓋部６に対し、蓋部６の両端間における何れかの位置において当該蓋部６の動作中に互いに摺接し得る突起５５及び摺接部６５をそれぞれ設け、この突起５５に、閉止状態（Ｐ）から蓋部６を所定位置まで動作するまで摺接部６５を圧接することにより蓋部６を両端間で撓み変形させ、当該変形の反発力により前記蓋部６が前記閉止状態（Ｐ）へ付勢させる閉止助長部５５ｂを有することを特徴とするものである。
【００２１】
以下、本実施形態のカバー体３の構成について説明する。
【００２２】
トップカバー５は、例えばＡＢＳ樹脂といった硬質樹脂による一体成型品であり、閉止状態（Ｐ）で蓋部６とトップカバー５自体の上面とが略面一となるように凹ませて設けたカバー収容部５１と、カバー収容部５１の短寸方向における両側を凹ませることにより蓋部６に指等を掛け易くした指掛け用凹部５２と、シュレッダ１内部に設けられた細断部に連通している開口である投入口５３と、蓋部６を両端で軸着する軸受５４と、これら両方の軸受５４の略中間の位置において樹脂を所定形状に隆起させて形成した突起５５とを有している。この突起５５は、特に図４乃至図１１に示すように、隆起させる勾配を適宜設定することにより図示右側から順に、予圧部５５ａ、閉止助長部５５ｂ、思案点５５ｃ、開成助長部５５ｄを形成している。予圧部５５ａは、閉止状態（Ｐ）で蓋部６をさらに閉止方向へ付勢するよう圧接するものである。ここで図５では、突起５５が存在しなかった場合に突起５５の位置に重なるように位置付けられる仮想の摺接部６５（Ｋ）の位置をパターンで示している。このように予圧部５５ａによって摺接部６５を常に押圧して、蓋部６が閉止状態（Ｐ）にがたつき無く保持されている。閉止助長部５５ｂは、図６及び図７に示すように、蓋部６を閉止状態（Ｐ）から垂直に立てるまで、ここでは６０°回転させるまで摺接部６５を圧接し得るようになっている。思案点５５ｃは蓋部６を６０°回転させた位置において摺接部６５に接する箇所である。この思案点５５ｃでは、図６及び図７に示すように、蓋部６は最も大きく撓み変形をおこなうが、このときのみ蓋部６の弾性反発力は何れの回転方向でもなく、断面視回転軸６１の中心へ働く。ここで図７では、突起５５が存在しなかった場合に突起５５の位置に重なるように位置付けられる仮想の摺接部６５（Ｋ）の位置をパターンで示している。そして開成助長部５５ｄは、上記の思案点５５ｃに連続して形成されている。このように思案点５５ｃが摺接部６５に接したときには、蓋部６が大きく弾性変形している。そして開成助長部５５ｄは、閉止助長部５５ｂの反対側に思案点５５ｃに連続している。この開成助長部５５ｄに接すると、思案点５５ｃにて蓄積された弾性反発力が蓋部６を閉止する方向に働くようになっている。またこの開成助長部５５ｄは、蓋部６が垂直となる前の時点で摺接部６５から離間するように設定されている。これにより、蓋部６は開成状態（Ｑ）から９０°以上の回転領域では突起５５に接さずに自由に回転し得る。
【００２３】
蓋部６は、図１乃至図３に示すように、水平状態にある前記閉止状態（Ｐ）から前記開成状態（Ｑ）まで１８０°回転するもので、例えばトップカバー５と同じ素材による一体成型品である。この蓋部６は、長手方向両端を突出させて設けた回転軸６１と、この両端を長手方向に弾性変形可能に設けて蓋部６をトップカバー５に取り付け易くした弾性端６２と、弾性端６２の内側を切り欠いて設けた変形助長部たる切欠６３と、回転基端側における長手方向中央を一部凹ませて設けた退避凹部６４と、この退避凹部６４の中において上記の突起５５に適宜接するように設けた摺接部６５とを有している。本実施形態では蓋部６の両端部付近に変形助長部たる切欠６３を形成することにより、回転軸６１が軸方向に突没し易いよう弾性端６２が形成されるとともに、両切欠６３間の箇所が回転軸６１の安定した軸着状態が正確に保持されたままで撓み変形し易くなっている。摺接部６５は蓋部６の回転軸６１方向における中央に位置付けられた退避凹部６４の内部に形成された曲面である。そして摺接部６５は、その形状を適宜設定することにより、閉止状態（Ｐ）から形成状態へと動作させる際、突起５５に対し押圧されながら、被押圧部６５ａ、乗り越え部６５ｂ、突出点６５ｃ及び退避部６５ｄの順に摺接していくものである。
【００２４】
しかして本実施形態では、閉止状態（Ｐ）から開成状態（Ｑ）に至るまで、突起５５が摺接部６５に対し、予圧部５５ａ、閉止助長部５５ｂ、思案点５５ｃ及び開成助長部５５ｄの順に接していくことにより、蓋部６のスムーズな開成動作を実現している。以下、閉止状態（Ｐ）から開成状態（Ｑ）へと回転する際の蓋部６の動作について図４乃至図１１を参照しながら具体的に説明する。
【００２５】
図４及び図５に示す閉止状態（Ｐ）では上述の通り予圧部５５ａが被押圧部６５ａを押圧することにより、閉止状態（Ｐ）にある蓋部６をさらに閉止方向へ付勢している。具体的には、予圧部５５ａの圧接に応じた蓋部６の弾性反発力が蓋部６を開成させる方向に働くが、突起５５自体が移動し得ないように構成されているため、蓋部６は逆に閉止状態（Ｐ）へ向けて付勢された状態となっている。このように予圧部５５ａによって摺接部６５を常に押圧して、蓋部６が閉止状態（Ｐ）にがたつき無く保持されている。そして図６及び図７に示すまでの段階、換言すれば蓋部６を閉止状態（Ｐ）から垂直に立てるまで、具体的には６０°回転させるまでの段階では閉止助長部５５ｂが乗り越え部６５ｂを圧接している。これにより、蓋部６は撓みによる変形を閉止状態（Ｐ）よりも増してゆき、予圧部５５ａによる閉止状態（Ｐ）への付勢よりも大きな付勢力が発生するようになっている。そして同図に示すように、蓋部６を６０°回転させた位置において思案点５５ｃと突出点６５ｃとが摺接部６５に接している。このとき、蓋部６は最も大きく撓み変形をおこなうが、このときのみ蓋部６の弾性反発力は断面視回転軸６１の中心へ働くので、蓋部６は何れの回転方向へも付勢されない。そして図８及び図９に示すように、上記の思案点５５ｃに連続して開成助長部５５ｄと退避部６５ｄとが接すると、思案点５５ｃにて蓋部６に蓄積された弾性反発力がそのまま蓋部６を開成する方向に付勢する力となって作用する。具体的には、蓋部６に蓄積された弾性反発力は突起５５に対し蓋部６を閉止する方向に押圧するよう働くが、上記同様突起５５自体が移動し得ないため、蓋部６は逆に開成状態（Ｑ）へ向けて付勢される。そして開成助長部５５ｄにより開成方向へ付勢された蓋部６は、図１０及び図１１に示すように、突起５５と摺接部６５とが離間してからも勢い良く開成状態（Ｑ）へと動作する。
【００２６】
他方、開成状態（Ｑ）から閉止状態（Ｐ）へと動作させる際には上記とは逆の作用を奏する。すなわち、開成状態（Ｑ）から思案点５５ｃ付近に至るまでは自由に回転させることができる。そして思案点５５ｃ付近で開成助長部５５ｄに接することにより使用者は一時反発力を感じる。そして思案点５５ｃを超えれば、閉止助長部５５ｂによって蓋部６はスムーズに閉止状態（Ｐ）へと回転し、そのまま予圧部５５ａによって蓋部６は閉止状態（Ｐ）にがたつき無く保持される。
【００２７】
以上のような構成とすることにより、本実施形態に係る開閉装置たるカバー体３は、閉止助長部５５ｂを設けることにより、蓋部６を開成させようとする際は、始めに閉止助長部５５ｂによって開成させようとする動作に抗した力が働くことにより、単なる振動や他のものとの当接等による偶発的な蓋部６の開成を有効に禁止し得るものとなっている。つまりこの蓋部６は、使用者による明確な意志以外には開成し難いという、安全カバーとしての性能を十分に満たしたものとなっている。そして摺接部６５が思案点５５ｃを過ぎるまで当接すれば前記の閉止状態（Ｐ）への付勢は解除されるので、明確な意志により蓋部６を開成させる場合は付勢力が解除された際の勢いによってスムーズに蓋部６を開成させ得るものとなっている。
【００２８】
特に本実施形態ではトップカバー５及び蓋部６をそれぞれ樹脂による一体成型品とし、この２つの部品だけで蓋部６のスムーズな開成動作を促し得る構成を実現して、シュレッダ１自体の部品点数の削減にも大きく寄与している。
【００２９】
加えて本実施形態ではスムーズな蓋部６の開成動作をより促すべく、突起５５に、蓋部６が所定位置を越えて動作させた際に開成状態（Ｑ）へ付勢させる開成助長部５５ｄを設けている。
【００３０】
さらに、使用者にとって開成動作をより容易に感じさせ得る具体的な構成として本実施形態では、閉止助長部５５ｂ及び開成助長部５５ｄとの間に摺接部６５に最も圧接する思案点５５ｃを設けて、この思案点５５ｃを、蓋部６を閉止状態（Ｐ）から垂直に起立させるまでの位置で摺接部６５に接するよう設定している。
【００３１】
そして、閉止状態（Ｐ）にある蓋部６が意図しない外力等により開成しないようにするために本実施形態では、突起５５に、閉止状態（Ｐ）で蓋部６をさらに閉止方向へ付勢するよう圧接する予圧部５５ａを設けている。
【００３２】
特に本実施形態では、蓋部６に、両端間の撓み変形を助長し得る変形助長部たる切欠６３を設けているので、強度の高い樹脂を用いながら適度な撓み変形を促してスムーズな蓋部６の動作を有効に寄与している。
【００３３】
また、蓋部６自体が開閉動作の際により撓み変形し易いものとするために本実施形態では、突起５５及び摺接部６５を、蓋部６の回転軸６１方向における中央に位置付けている。
【００３４】
以上、本発明の実施形態について説明したが、各部の具体的な構成は、上述した実施形態のみに限定されるものではなく、本発明の趣旨を逸脱しない範囲で種々変形が可能である。
【００３５】
例えば、上記実施形態では支持体たるトップカバー側に突起を設けた態様を開示したが、勿論、蓋部に突起を設けるとともに支持体側に摺接部を設けたものであってもよい。また突起及び摺接部は一組のみ設ける態様のみならず、複数組設けたものとしても良い。また本発明では開閉装置の一例としてシュレッダの安全カバーの取り付け態様に本発明を適用したが勿論、開口を閉止及び開成させ得るあらゆる構成に適用することが可能である。つまり、開口の形状や蓋部の具体的な態様は上記実施形態のものに限定されることはなく、既存のものを含め、種々の態様のものを適用することができる。
【００３６】
その他、各部の具体的構成についても上記実施形態に限られるものではなく、本発明の趣旨を逸脱しない範囲で種々変形が可能である。
【産業上の利用可能性】
【００３７】
本発明は開口を閉止並びに開成させ得る開閉装置として利用することができる。
【符号の説明】
【００３８】
３…開閉装置（カバー体）
５…支持体（トップカバー）
５３…開口（投入口）
５５…突起
５５ａ予圧部
５５ｂ…閉止助長部
５５ｃ…思案点
５５ｄ…開成助長部
６…蓋部
６３…変形助長部（切欠）
６５…摺接部
Ｐ…閉止状態
Ｑ…開成状態
【図１】
0005870356.tif 000002
【図２】
0005870356.tif 000003
【図３】
0005870356.tif 000004
【図４】
0005870356.tif 000005
【図５】
0005870356.tif 000006
【図６】
0005870356.tif 000007
【図７】
0005870356.tif 000008
【図８】
0005870356.tif 000009
【図９】
0005870356.tif 000010
【図１０】
0005870356.tif 000011
【図１１】
0005870356.tif 000012